【手続補正書】
【提出日】平成15年8月18日(2003.8.18)
【手続補正１】
【補正対象項目名】手続補正１
【補正方法】変更
【補正の内容】
【手続補正１】
【補正対象書類名】明細書
【補正対象項目名】全文
【補正方法】変更
【補正の内容】
【発明の名称】釘打ち械に使うブロック釘とそれを作るブロック釘作り機と、釘打ち機の改良
【特許請求の範囲】
【請求項１】加工前に薄めの発砲プラスチックに吹き付けなどして堅めにした２枚のシート布にうず巻き形で釘１本毎に、仕切り穴に、釘穴９３角穴１１、切り穴１０、内外仕切り穴１３を明ける。又外周うず巻き釘点３４′、３４″の近くの６ヶ所には内外仕切穴１３は明けない替りに外周続け穴１４と、すぐ外横には外周大穴１５を、又シート布両横には後切り穴１６を明ける、と同時に２枚の出来上った上下ブロック帯１、１′を１〜２ｃｍ浮して釘刺しまでしてしまう本請求項のブロック釘２である。形を言うと長さ１．３ｍの長さのぜんまい上面小口に釘頭間隔で１５０ヶ分の印を付け、そのぜんまいの両側に釘頭径と同じになる様にスポンヂを貼り付けうず巻き状に調整すると、親口及子正列半径線３３、３３′の６ヶが出来、親及子分け半径線３２、３２′が出来る為全ての釘団が６ヶ所に分けられた所毎に親口及子正列半径線３３、３３′を中心としてその方向に７通りの正列釘団が出来る
【請求項２】請求項１に記載された上下ブロック帯１〜１′を作る為に、２台のプレス機を使って穴明けをし、集合釘刺し台８まで送るまでを受け持ちます。まず入ってくるシート布中心線を第１プレス台３に書く。次にその中心線に親中心点３５と外周親釘点３４を書き、その線から右に３２度振り６等分すると、６ヶの外周うず巻釘点３４′、３４″がある続き釘状になる、その釘毎に釘穴９′、切り穴１０′、３角穴１１′を明ける。又シート布外周両横に後切り穴１６′を明け、又外周うず巻き釘点３４′、３４″の６ヶ分の外周に外周続け穴１４′を、そのすぐ近くの外周に外周大穴１５′を明ける。間を３ｃｍ離して第２プレス台５に仕切り穴１４′と、内外仕切穴１３′を明ける但し外周うず巻き釘点の６ヶ所には内外仕切穴１３′は明けない。第１プレスヘット４には第１プレス台３に合せて、釘棒刃１７、切り棒刃１８、３角刃１９を、又上下ブロック帯１、１′の外周両横には外周続け棒刃２２と、すぐ外側に外周大棒刃２３を格々凸設させる。第２プレスヘット６にも同じ様に仕切刃２０、内外仕切刃２１を凸設させておく。但し外周うず巻き点３４′、３４″の６ケ所の内外仕切り刃２１はなしにしておく。第２図でシート布送を言うと、第１プレス台３と第２プレス台５の２ｃｍぐらいの間に、鑢歯３０と耳２８を持ったシート送りローラ２５と挟みローラー２９をセットする、同じく集合釘刺し台８の曲がり腕５０に当らない前と後にもセットする。又第２プレス台５のすぐ後に２ケの挟みローラー２９と、直後に２ケの浮しローラー２５をセットする
【請求項３】ここでは釘刺し機を受け持ちます。釘頭か入る大きさの釘送り筒４１を２、２．５倍に間を明けて親口及子正列半径線３３、３３′で６ブロック毎に正列し、親及子分け半径線３２、３２′で６等分された釘送り筒４１団が並んでいる所を第３図の平面図を見るに、下段スタート線３１′から降りて来るとＵ字形樋３７は同じ筒間入口４１′に３段、４段、５段が集まるので右曲がりしたり、直進したり、左曲がりしたりする様に曲げ加工しておく。又その後Ｕ字形樋３７先は格々のＴ字釘入れ穴４１に向うのでその先を曲げ加工し、直その相手釘送り筒４１にはその位置で、その向きで格々のＴ字釘入れ穴４０を明ける。第３図の斜図で見ると６等分された釘送り筒４１団の高さは８５ｃｍあり５ｃｍ下って外周のＴ字釘入れ穴４０があり釘の長さ分と勾配分と補強分を＋し×５段分計４０ｃｍ下った所から４０ｃｍ下った所にある上下ブロック帯１〜１′の同じ釘穴９に向って格々を曲げ加工する。同じ様に外周から中に入る毎に１．５ｃｍの勾配分を下げて全ての釘送り筒４０団の曲げ加工をしておく、又格々の上、下段スタート線３１−３１′は３５度前後で３０ｃｍ間を降りる様にするが筒間入口４１′点で登る角度を調整する、４０ｃｍ近く下って来た釘送り筒４０の先は格々４枚の細長いバネを持った釘持ち指４２と筒守り指４２′を持たしてありその先は１ｃｍ間を明けてそろへてカットしておく。６ヶ所ある外周うず巻き釘点３４には矢押し筒４６と、切り矢４４と、戻しバネ４５を持った矢軸４３をセットしておく、又集合釘刺し台８の半径分後の外周両横にも矢押し筒４６′と、後切り矢４４′と、戻しバネ４５′を持った矢軸４３′をセットしておく。以上までを加工してから組立には、うず巻き状に続いている中周りの釘送り筒４０団から始める仮止は、格々のＴ字釘入れ穴４０の直上の間を段毎に外帯金物３９と波子金物３９′で挟みビスで止める。６ケ所ある親口及子正列半径線３３、３３′の間を使って、格々段繋金物３９′と繋が終った外帯金物３９を格々ビスで止める。又釘送り筒４１頭より８５ｃｍぐらい上にプレスヘット７がありそこから格々のバネがある芯に樽状に玉を通した形の釘押し棒３８を伸ばしておく。次は上下ブロック帯１〜１′の下部を第４図、第５図で説明します。親及子分け半径線３２、３２′により６等分され又、親口及子正列半径線３３、３３′により上下中指台８′を中芯としてかまぼこ形をした２段重ねの櫛の様な上下７本指台８″がありそれが６組集まると集合釘刺し台８であり、上下ブロック帯１−１′の両側に触れない様に２段７本指８″団を動かすには、それを繋げたりその場に合せて曲がり腕５０を調整し、直その先を釘落し筒５１、腕動かし筒４７に沿って３０ｃｍ下った所のピン受け軸４８を持った導き曲がり棒４９がある。そのピン受け軸４８に合せて、ブロック釘落し筒５１に両側に穴を明けた支へ満形鋼５２を取り付け、ピン受け軸４８と支へ満形鋼５２の穴を合せ支へピン５４で止める。又腕動かし筒４７が上げ止になった時集合釘刺し台８に成る様に調整して腕動かし筒４７には両側に穴明けをした挟み溝形鋼５３を取り付け、導き曲り棒４９を挟み溝形鋼５３の溝に入れ挟みピン５４′で止める。親及子分け半径線３２���３２′で６等分された格々２段の曲がり腕５０小口明きが矢逃げ溝台５０′になる。又外周うず巻き釘点３４、３４′の半径分後の所の外周両横に２段分の矢逃げ溝台８′′′をセットする。
【請求項４】ここでは第６図平面図で釘打機の改良を言うと、第１釘打点５５の右少し上に第２釘点５６を配置する。その境が釘入りは５７′に当る。その境に向って第２釘点５６の両側から切断台５８先を伸し挟みバネ５８′と共にセットしておく。子動き蓋５９先に広げばね６６を持った帯穴キャッチ足６０をセットしその後には摘み５９′と進めバネ５９″をセットする。釘箱支へ軸６２の凸部６２′に蓋支へ筒６３の筒下溝６３′が上にバネ６３″と共に跨がる様にセットしておく。
【発明の詳細な説明】
【発明の属する技術分野】釘打ち機に入れて連続して釘打ちが出来る様にうず巻き状に穴明け加工した２枚のシートに釘団をうず巻き状に並べた所を通してブロック帯にブロック釘を連続して作ってしまう、そのブロック釘とそのブロック釘製造機、と釘打ち機の改良【従来の技術】従来の繋ぎ材、繋き方法としては針金で溶接による繋ぎ方法、プラスチック材をプレス機と熱処理で溝型にし両耳に止め爪加工し溝から挟みこみうず巻き状に巻いたブロック釘
【発明が解決しようとする課題】従来の針金で溶接しうず巻にして輪ゴムで止めたうず巻き釘及びプラスチックを加工し止め爪に横から挟みこみうず巻きにして接着テープで止めたブロック釘があるが何れもそのうず巻き釘を落下させたり途中で長さの違ううず巻き釘に変へる時など崩れやすく、又使用中目にごみが入る危険がありごみも出る。又うず巻き釘作り機は繋ぎ材によって違うので如何にうず巻き釘を早く安く作る機械にするかにある。
【課題を解決する為の手段】釘刺し機はすでに公知されてしまった瞬間連続１団釘刺し機の釘刺し台を改良し２枚のシートにうず巻き状に巻いた形を（ここではそれを改良して正列された形にしてある）穴明けによりブロック帯を作り釘刺し台で（ここでは出し入れ出来る釘刺し台にしてある）本機をプレス機にセットしておくとブロック帯作りからブロック釘作りまでを無人で瞬間連続して１秒毎に１ケのブロック釘が出来る。
【発明の実施の型態】本ブロック釘２は２枚の浮いたブロックシートに釘刺しをして取り出すので出し入れ出来る釘刺し台にしなければならない、その為１周り毎に６本ずつ増す様にブロック帯２を６等分した１ケ１ケが台形状毎に正列する様に巾と間を調整した。又釘刺しの働を説明すると、釘持ち指４２を調整して、釘が確実に釘穴８に入る様にする。又３角穴１１は曲りやすくする為、釘打ち後パッキング状になって釘頭下に残るのでパッキングの隅が見えない様にする為、仕切り穴１２は釘打ち機が釘送りする力で切れる様に調整する。切り穴１０は釘打時の切断で切れる。第４図で説明すると、ここではブロック帯２を作るのにトラブルがない様に２台のプレス機と、シート浮せで０．５台分の長さと、落差８５ｃｍのプレス機で長さ２台計でシートの長さ５３ｃｍ巾１４ｃｍになる。第１プレス台３では釘穴９′、切り穴１０′、３角穴１１′を明ける。又シート布外周両横に後切り穴１６′を明け、又外周うず巻き釘点３４、３４′の６ケ分の外周に外周続け穴１４′を、そのすぐ近くの外周に外周大穴１５′を明ける。間を３ｃｍ離して第２プレス台２に仕切り穴１４′と、内外仕切り穴１５′を明ける、但し外周うず巻釘点の６ケ所には内外仕切穴１３′は明けない。第１プレスヘット４には第１プレス台３に合せて、釘棒刃１７切り棒刃１８、３角刃１９を、又親及子分け半径線３２、３２′の外周６ケ所に外周続け棒刃２２と、すぐ外側に外周大穴棒刃２３を格々凸設させる、外周両横の２ケ所には外周後切り棒刃２４を凸設させる。第２プレスヘット６にも同じ様に仕切り刃２０、内外仕切り刃２１を凸設させておく。但し外周うず巻き釘釘点、３４′の６ケ所の内外仕切り刃２１はなしにしておく。第４図でシート布送りを言うと、第１プレス台３と第２プレス台５の２ｃｍぐらいの間に、鑢歯３０と耳２８を持ったシート送りローラ２５と挟みローラー２９をセットする。同じく集合釘刺し台８の曲がり腕５０に当らない前と後にもセットする、又第２プレス台５のすぐ後に２ケの挟みローラー２９と、直後に２ケの浮しローラー２５をセットする。次は釘刺し機の上下ブロック帯１−１′の上部から言います。釘頭が入る大きさの釘送り筒４１を２〜２．５倍に間を明けて親口及子正列半径線３３、３３′で６ブロック毎に正列し、親及子分け半径線３２、３２′で６等分された釘送り筒４１団が並んでいる所を第３図の平面図で見ると、下段スタート線３１′から降りて来るとＵ字形樋３７は同じ筒間入口４１に３段、４段、５段が集まるので右曲りにするか、直進するか、左曲がりか決めて曲げ加工しておく。又その後Ｕ字形樋３７先は格々のＴ字釘入れ穴４１に向うのでその先を曲げ加工し、直その相手釘送り筒４１にはその位置で、その向きで格々のＴ字釘入れ穴４０を明ける、第３図の斜図で見ると６等分された釘送り筒４１団の高さは８５ｃｍあり５ｃｍ下って外周のＴ字釘入れ穴４０があり釘の長さ分と勾配分と補強分を＋し×５段分計４０ｃｍ下った所から４０ｃｍ下った所にある上下ブロック帯１〜１′の同じ釘穴９に向って格々を曲げ加工する。同じ様に外周から中に入る毎に１．５ｃｍの勾配分を下げて全ての釘送り筒４０団の曲げ加工をしておく、又格々の上、下段スタート���３１−３１′は３５度前後で３０ｃｍ間を登る様にするが、筒間入口４０点で登る角度を調整する。４０ｃｍ近く下って来た釘送り筒４１の先は格々４枚の細長いバネを持った釘持ち指４２と筒守り指４２′を持たしてありその先は１ｃｍ間を明けそろへてカットしておく。６ケ所ある外周うず巻き釘点３４には矢押し筒４６と、切り矢４４と、戻しバネ４５を持った矢軸４３をセットしておく。又集合釘刺し台８の半径分後の外周両横にも矢押し筒４６と、後切り矢４４′と、戻しバネ４５′を持った矢軸４３′をセットしておく。以上までを加工してから組立には、うず巻き状に続いている中周りの釘送り筒４１団から始める仮止は、格々のＴ字釘入れ穴４０の直上の間を段毎に外帯金物３９と波子金物３９′で挟みビスで止める、６ケ所ある親口及子正列半径線３３〜３３′の間を使って、格々段繋金物３９″と繋が終った外帯金物３９を格々ビスで止める。又釘送り筒４１頭より８５ｃｍぐらい上にプレスヘット７がありそこから格々のバネがある芯に樽状の玉を通した形の釘押し棒３８を伸ばしておく、次は上下ブロック帯１−１′の下部を第４図、第５図で説明します。親及子分け半径線３２−３２′により６等分され又、親口及子正列半径線３３−３３′により上下中指台８′を中芯としてかまぼこ形をした２段重ねの櫛の様な上下７本指台８″がありそれが６組集まると集合釘刺し台８であり、上下ブロック帯１−１′の両側に触れない様に２段７本指８″を動かすには、それを繋げたりその場に合せて曲がり腕５０を調整し、直その先を釘落し筒５１、腕動かし筒４７に沿って３０ｃｍ下った所にピン受け軸４８を持った導き曲がり棒４９がある。そのピン受け軸４８に合せて、ブロック釘落し筒５１の両側に穴を開けた支へ溝形鋼５２を取り付け、ピン受け軸４８と支へ溝形鋼５２の穴を合せ支へピン５４で止める。又腕動かし筒４７が上げ止になった時集合釘刺し台８に成る様に調整して腕動かし筒４７には両側に穴明けをした挟み溝形鋼５３を取り付け、導き曲り棒４９を挟み溝形鋼５３の溝に入れ挟みピン５４′で止める。親及子分け半径線３２、３２′で６等分された格々２段の曲がり腕５０小口明きが矢逃げ溝台５０になる。又外周うず巻き釘点３４、３４′の半径分後の所の外周両横に２段分の矢逃げ溝台８″をセットする。本ブロック釘作り機の動きを説明すると第１プレス台３、第２プレス台５、集合釘刺し台８がありそれに対して第１プレスヘット４、第２プレスヘット６、第３プレスヘット７があり３台共同じに上下運動する。格々のプレスヘットが下がろうとする時は、釘団は格々の釘送り筒４１内に入って、集合釘刺し台８も集合している。下ろし終ると第１プレス台３ではその分の穴明けをして、第２プレス台５では全ての穴明をし、集合釘刺し台８ではブロック釘２が出来、同時にブロック釘２を切り離し、又その台の枝にあたる最後のシート送りローラー２５の後ろ両横の所の後切り矢４４″１式で残りシート布切りをしてごみ処理をする。その後腕動かし筒４７を１０ｃｍ下げると集合釘刺し台８は周外に引っこめるのでそのブロック針２を落し荷作所に運ぶ。次は格々３台のプレスヘットが上る時には、３ケのシート送り１式と、１ケのシート浮し１式で所定の所に送り、���腕動かし筒４７を１０ｃｍ上げ集合釘刺し台８を集合させる。次は格々のプレスヘットが止っている間に格々のスタート線に止められている釘団を格々の釘送り筒４１に落し込む。以上１秒で１ケのブロック釘が出来る。ここでは第６図の平面図で釘打機の改良を説明します。（ドライブビットの直下筒）第１釘打点５５の右少し下に（次釘）第２釘点５６を配置する。その境が釘入り口５７′にあたる。その境に向って第２釘点５６の両側から切断台５８先を伸し挟みばね５８′と共にセットしておく。子動き蓋５９の先に広げばね６０′を持った帯穴キャッチ足６０をセットしその後に摘み６５′を立てておく、又親開き蓋６７の元に進めばね５９′先を止め、片方の先は子動き蓋５９に止めその蓋を親蓋穴の両小口上下レール溝６１′に刺しこんでおく。釘箱支へ軸６２の凸部６２′に蓋支へ筒６３の筒下溝６３′が上にばね６３′と共に跨がる様にセットしておく。以上の釘打機に本ブロック釘２をセットするには、摘み５９′を親指と人差指で摘んで持ち上げたままで左に回す。次に本ブロック釘２先を５ｃｍぐらい出し右らっぱ口３６′に沿って第１釘打点５５まで刺し込み、摘み５９′を手前に引いたままで左に回すとばね６３′′′で帯穴キャッチ足６０が下りセット完了する。【図面の簡単な説明】
【第１図】左ブロック釘斜図右ブロック帯斜図
【第２図】第３図の仮止に使う金物の斜図
【第３図】左６等分した１つ分で釘送り筒４１Ｔ字釘入れ穴４０Ｕ字形樋３７スタート線の斜図でＴ字釘入れ穴４０より上の釘送り、筒４１を見やすくする為全てカットしてある。左側その上段下段の平面図
【第４図】ブロック釘作り機の斜図
【第５図】釘刺し台の斜図
【第６図】上釘打ち機改良の平面図、下図その斜図
【符号の説明】
2001241419.tif 000001
４第１プレスヘット                    １７釘棒刃
５第２プレス台                        １８切り棒刃
６第２プレスヘット                    １９３角刃
７第３プレスヘット                    ２０仕切り刃
８集合釘刺し台  ８′中指台            ２１内外仕切刃
８″７本指台  ８′′′逃げ溝台        ２２外周続け棒刃
2001241419.tif 000002
２８耳                                ４７腕動かし筒  ４７′レール溝
２９挟みローラー                      ４８ピン受け軸
３０鑢歯                              ４９導き曲がり棒
３１上  ３１′下段スタート線          ５０曲がり腕
３２親  ３２′子分け半径線            ５１ブロック釘落し筒
３３親口  ３３′子正列半径線          ５１′竪レール  ５１″止め爪
３４外周釘親点                        ５２支へ溝形鋼
３４′外周うず巻き釘点                ５３挟み溝形鋼
３５親中芯点                          ５４支えピン  ５４′挟みピン
３６親  ３６′子正列口点              ５５第１釘打点
３７Ｕ字形樋                          ５６第２釘点  ５６′らっぱ口
３８釘押し棒                          ５７境  ５７′釘入り口
３８′矢腕                            ５８切断台  ５８′挟みばね
３９外帯、３９′波子、３９″段繋金物  ５９子動き蓋  ５９′摘み
４０Ｔ字釘入れ穴                      ５９″進めばね
４１釘送り筒、４１′筒間入口          ６０帯穴キャッチ足
４２釘持ち指、４２′筒守り指          ６０′広げばね
４３矢軸  ４３′矢軸                  ６１親開き蓋
４４切矢  ４４′後切り矢              ６１′上下レール溝
４５戻しばね、４５′戻しばね          ６２釘箱支へ軸  ６２′凸部
４６矢押し筒  ４６′矢押し筒          ６３蓋支筒、６３′筒下溝、６３″ばね




【手続補正２】
【補正対象項目名】手続補正２
【補正方法】追加
【補正の内容】
【手続補正２】
【補正対象書類名】図面
【補正対象項目名】全図
【補正方法】変更
【補正の内容】
【図１】
2001241419.tif 000003
【図２】
2001241419.tif 000004
【図３】
2001241419.tif 000005
【図４】
2001241419.tif 000006
【図５】
2001241419.tif 000007
【図６】
2001241419.tif 000008